(57)【要約】【課題】  優れた防水性を持ちながら、雨の日の外出時や水を使う作業時はもとより日常履きとしても広く使える靴を提供する。【解決手段】  本発明による靴1は、熱可塑性樹脂により一体成形されかつ周縁に環状立上り部21を有する靴底2と、甲被4の下縁部に中底5を接合してなる靴本体3とを備える。立上り部21は、靴本体の下部周面3aに沿い得る高さおよび曲面形状を有する。立上り部21の内側に靴本体3の下部が挿入されてその周面3aが立上り部21内面に接着されている。【選択図】  図１
2005110738.tif 000002
【特許請求の範囲】
【請求項１】
熱可塑性樹脂により一体成形されかつ周縁に環状立上り部を有する靴底と、甲被の下縁部に中底を接合してなる靴本体とを備え、立上り部は靴本体の下部周面に沿い得る高さおよび曲面形状を有しており、立上り部の内側に靴本体の下部が挿入されてその周面が立上り部内面に接着されていることを特徴とする、靴。
【請求項２】
靴底を形成している熱可塑性樹脂がエチレン酢酸ビニル共重合体であることを特徴とする、請求項１記載の靴。
【請求項３】
甲被の表面材が防水性を有する材料よりなることを特徴とする、請求項１または２記載の靴。
【請求項４】
立上り部の高さが、爪先部において１５〜２５ｍｍ、踵部において３０〜４５ｍｍ、長さ中央部において２０〜３０ｍｍであることを特徴とする、請求項１〜３のいずれか１つに記載の靴。
【発明の詳細な説明】
【技術分野】
【０００１】
本発明は靴に関し、より詳細には防水性に優れた靴に関する。
【背景技術】
【０００２】
雨の日の外出時や、ガーデニング、洗車といった水を使う作業時には、長靴を履いたり、防水性に乏しいタウンシューズの上にオーバーシューズを履いたりすることが通常行われている。
【０００３】
しかしながら、長靴はデザイン性に乏しく、また、オーバーシューズはあくまでも一時しのぎのものであり、結局、これらは上記のような特別なシチュエーションでしか使用することができなかった。
【０００４】
一方、熱可塑性樹脂により一体成形されかつ周縁の少なくとも一部に立上り部を有する靴底と、甲被の下縁部に中底を接合してなる靴本体とを備え、立上り部の内面に靴本体の下端部が接着されている靴が従来より知られている（下記特許文献１および２参照）。
【０００５】
上記の靴にあっては、熱可塑性樹脂製の靴底に一体に設けられた立上り部に、靴本体の下端部が接着されているため、通常の靴と比べると靴の内部に水が侵入し難い。
【０００６】
しかしながら、上記の靴の場合、立上り部が垂直または外側に広がった形状をしている上、立上り部の高さも靴本体の下端部までしか達していない。したがって、立上り部が靴本体から剥がれやすく、防水性も十分とは言えなかった。
【特許文献１】特開２００１−８７００３号公報
【特許文献２】特開２００３−７０５０４号公報
【発明の開示】
【０００７】
本発明の目的は、優れた防水性を持ちながら、雨の日の外出時や水を使う作業時はもとより日常履きとしても広く使える靴を提供することにある。
【０００８】
本発明による靴は、熱可塑性樹脂により一体成形されかつ周縁に環状立上り部を有する靴底と、甲被の下縁部に中底を接合してなる靴本体とを備え、立上り部は、靴本体の下部周面に沿い得る高さおよび曲面形状を有しており、立上り部の内側に靴本体の下部が嵌め込まれてその周面が立上り部内面に接着されていることを特徴とする。
【０００９】
上記の靴にあっては、靴底の周縁に一体に形成される立上り部が、環状のものであって、靴本体の下部周面に沿い得る高さおよび曲面形状を有しているので、この立上り部の内面に靴本体の下部周面が接着されることにより、立上り部が剥がれにくく、極めて高い防水性が得られる上、デザイン性にも優れている。したがって、本発明の靴によれば、雨の日の外出時や水を使う作業時はもとより、タウンシューズ等としても履くことができる。また、本発明の靴によれば、環状立上り部によって靴本体の下部周面が包み込まれているので、靴としての形態保持性に優れ、また、足の爪先の安全性の確保、足の踵のホールド性の向上による歩行機能の向上といった効果も得られる。
【００１０】
本発明による靴において、靴底を形成している熱可塑性樹脂がエチレン酢酸ビニル共重合体（以下「ＥＶＡ」と略称する）であるのが好ましい。
【００１１】
靴底をＥＶＡによって形成することにより、靴底の軽量化、ひいては靴全体の軽量化を図ることができる。もっとも、靴底は、ＥＶＡ以外の熱可塑性樹脂、例えば、サーモプラスチックラバー（ＴＲ）、ポリ塩化ビニル樹脂（ＰＶＣ）等により形成されていても勿論よい。
【００１２】
本発明の靴において、靴本体の甲被の材料は特に限定されないが、好ましくは、甲被の表面材が防水性を有する材料によって形成される。
【００１３】
甲被の表面材が防水性を有する材料によって形成されていれば、靴としての防水性を更に高めることができる。なお、防水性を有する材料としては、合成皮革や、裏面にフィルムが貼着された防水生地等が挙げられる。
【００１４】
また、本発明の靴において、立上り部の高さが、爪先部において１５〜２５ｍｍ、踵部において３０〜４５ｍｍ、長さ中央部において２０〜３０ｍｍであるのが好ましい。立上り部の高さが、爪先部で１５ｍｍ、踵部で３０ｍｍ、長さ中央部で２０ｍｍをそれぞれ下回ると、十分な防水性が得られなくなる恐れがある。一方、立上り部の高さが、爪先部で２５ｍｍ、踵部で４５ｍｍ、長さ中央部で３０ｍｍをそれぞれ越えると、甲被表面のうち立上り部によって覆われる部分の割合が多くなり、靴としてのデザイン性が損なわれる恐れがある。
【発明を実施するための最良の形態】
【００１５】
図１および図２には、本発明の一実施形態が示されている。これらの図に示す靴(1)は、ＥＶＡにより一体成形されかつ周縁に環状立上り部(21)を有する靴底(2)と、甲被(4)の下縁部に中底(5)を接合してなる靴本体(3)とを備えている。
立上り部(21)は、靴本体(3)の下部周面(3a)に沿い得る高さおよび曲面形状を有している。つまり、この立上り部(21)は、従来技術（特許文献１、２）のそれらのような垂直や外側に開いたものではなく、全体として上方開口がすぼまるような形状を有している。
そして、立上り部(21)の内側に靴本体(3)の下部が挿入されてその周面(3a)が立上り部(21)内面に接着されている。
【００１６】
靴底(2)は、ＥＶＡを型底の中で熱および圧力をかけながら所定形状に架橋発泡させることにより、図１〜図３に示すような形態に形成される。
【００１７】
立上り部(21)は、爪先部(211)の高さ(H1)が１５〜２５ｍｍ、踵部(212)の高さ(H2)が３０〜４５ｍｍ、長さ中間部(213)の高さ(H3)が２０〜３０ｍｍとなされている（図３参照）。また、立上り部(21)は、厚みが１０〜２５ｍｍ程度であって、適度の屈曲性を有している。
【００１８】
甲被(4)の表面材は、防水性を有する材料によって形成されている。具体的には、甲被(4)の表面材のうちヒールカウンター部(41)およびタン部(42)が、合成皮革よりなり、残りの部分(43)が、裏面にフィルムが貼着された防水生地よりなる。また、タン部(42)を構成する合成皮革の両縁部とこれらに対応する防水生地(43)の縁部との間には、履き口の伸縮を容易にするために編みゴム(44)が配されている。甲被(4)の下縁部は内側に折り曲げられていて、同下縁部に中底(5)の周縁部が縫着されている。靴本体(3)の下面、即ち、甲被(4)の折り曲げ下縁部の下面および中底(5)の下面は、靴底(2)の上面に接着されている。
【００１９】
上記の靴(1)は、例えば次のようにして製造することができる。即ち、まず靴底(2)を前述の要領で形成する。一方、甲被(4)の下縁部に中底(5)を縫着することにより、靴本体(3)を作製する。次いで、靴本体(3)の内部に、ラスト（図示略）を挿入しておく。そして、靴底(2)の上面および立上り部(21)内面ならびに靴本体(3)の下面および下部周面(3a)に、それぞれ接着剤（図示略）を塗布しておいてから、靴本体(3)の下部を、靴底(2)の立上り部(21)の内側に挿入し、靴本体(3)の下部周面(3a)を立上り部(21)内面に接着し、また、靴本体(3)の下面を靴底(2)の上面に接着する（図３参照）。こうして、図１および図２に示す靴(1)が得られる。
【００２０】
上記の靴(1)にあっては、靴底(2)の立上り部(21)が環状のものであって、靴本体(3)の下部周面(3a)にぴったり沿い得る高さおよび曲面形状を有しているので、この立上り部(21)の内面に靴本体(3)の下部周面(3a)が接着されることにより、立上り部(21)が剥がれにくく、極めて高い防水性が得られ、また、図１および図２から明らかなように、デザイン性にも優れている。その上、上記の靴(1)では、靴底(2)の環状立上り部(21)によって靴本体(3)の下部周面(3a)が包み込まれているので、靴(1)としての形態保持性に優れており、また、足の爪先の安全性を確保することができ、足の踵のホールド性の向上によって歩行機能が向上するという利点もある。
【図面の簡単な説明】
【００２１】
【図１】本発明の実施形態を示すものであって、靴の斜視図である。
【図２】図１の靴の縦断面図である。
【図３】図１の靴の分解斜視図である。
【符号の説明】
【００２２】
(1)：靴
(2)：靴底
(21)：環状立上り部
(3)：靴本体
(3a)：（靴本体の）下部周面
(4)：甲被
(5)：中底
【図１】
2005110738.tif 000003
【図２】
2005110738.tif 000004
【図３】
2005110738.tif 000005